(57)【特許請求の範囲】
【請求項１】
スクリーン枠を構成する枠材の長手方向に向けて設けるスクリーンの取付溝を、その対向する溝口縁の一方に内向きの突出部を設けることにより、該取付溝内に収容するスクリーン取付用のレール材の抜け止め用係止部を形成したものとし、
一方、上記スクリーンには、上記枠材への取付端に沿って係合部片を付設し、上記取付溝内に嵌入する溝形のスクリーン取付用のレール材内における対向溝壁間の隔壁に、上記スクリーンの係合部片に係合してその脱出を抑止するスリットを設け、
上記枠材の取付溝内に押入した上記レール材における一方の溝壁の外端面を、上記取付溝の溝口縁に設けた係止部の内側に係止させて、上記スクリーンを上記取付用のレール材に固定的或いは摺動可能に取り付け可能にしたスクリーンの取付構造において、
上記取付溝に設けた係止部の内側に係止させる上記レール材の外端面を、取付溝内へ上記レール材を押入するための押圧面とし、該押圧面を備えたレール材における口縁部分の外側面を、該レール材における一方の溝壁の外面から少なくとも４５°よりも小さい鋭角をなして次第に厚肉化する傾斜面に沿うものとしたうえで、上記外端面になだらかな曲面で連なるものとして形成し、
枠材におけるスクリーンの取付溝の溝口縁に設けられた内向きの突出部により形成される上記レール材の抜け止め用係止部が、その一部を切除したものとして、該切除部分とレール材の溝壁との間に、該レール材の取出し工具の先端を挿入する挿入隙間を形成し、該工具の先端をレール材の傾斜面に係止させて該レール材を掻き出し可能に形成している、
ことを特徴とするスクリーン枠に対するスクリーンの取付構造。
【請求項２】
上記レール材における上記口縁部分の外側面が、該レール材における一方の溝壁の外面から次第に厚肉化する傾斜面に沿うものであるが、該傾斜面の下端部に上記レール材の引出し工具先端を係止させる係止段部を形成している、
ことを特徴とする請求項１に記載のスクリーン枠に対するスクリーンの取付構造。
【請求項３】
上記レール材における上記口縁部分の外側面が、全体的には該レール材における一方の溝壁の外面から次第に厚肉化する傾斜面に沿うものであるが、該傾斜面自体に離散的に上記レール材の引出し工具先端を係止させる複数の係止用凹凸を形成している、
ことを特徴とする請求項１に記載のスクリーン枠に対するスクリーンの取付構造。
【請求項４】
上記レール材における口縁部分の外側面を、該レール材における一方の溝壁の外面から３０°±５°の範囲の鋭角をなして次第に厚肉化する傾斜面に沿うものとして形成している、
ことを特徴とする請求項１〜３のいずれかに記載のスクリーン枠に対するスクリーンの取付構造。
【発明の詳細な説明】
【技術分野】
【０００１】
本発明は、網戸枠や網戸の操作框のように、ネット等のスクリーンの端部を固定的或いは摺動可能に取り付けるスクリーン枠に対して、該スクリーンを作業性よく容易に取り付け及び取り外し可能にしたスクリーンの取付構造に関するものである。
【背景技術】
【０００２】
特許文献１に開示されている既知のスクリーン装置においては、図１０（ａ）〜（ｃ）に示しているように、スクリーン３６の一端を操作框３１に固定するに当たり、該スクリーンの端部にファスナー半体等の係合部材３７を付設しておき、操作框３１に設けたスクリーンの取付溝３２に押入して弾性的変形で係合させるスクリーン端保持部材（本発明のレール材）４０内の隔壁にスリット４４を設けて、該スリット４４の内側に上記係合部材３７を係合させている。
【０００３】
上記操作框３１の取付溝３２に対する該スクリーン端保持部材４０の弾性的変形による係合は、合成樹脂からなる溝形の該保持部材４０における一対の対向溝壁４１，４２の一方の外端から外向きにつば４１ａを突設し、また、操作框３１における取付溝３２の一方の溝口縁３２ａには該つば４１ａが嵌入する小溝３３を設けて、上記スクリーン端保持部材４０を取付溝３２に押入する際に、上記保持部材４０の開口縁のつば４１ａの先端を、対向溝壁４１，４２相互の狭圧による弾性的変形により上記小溝３３の入口付近にまで移動させて、上記溝口縁３２ａの小溝３３に弾性的な復帰で係止させるものである。
【０００４】
このようなスクリーン３６の操作框等への取付構造は、スクリーン装置の製造時の組み立てに際して、或いは、経時により汚れたスクリーン３６の洗浄とか交換等のために、スクリーンの端部を操作框等に取り付ける場合の作業性において優れているだけでなく、該スクリーン３６の操作框３１等からの取り外しが容易であることが望まれる。しかしながら、上記特許文献１に開示されているような取付構造では、該スクリーンを作業性よく容易に取り付けることが可能であるとは限らず、その操作性には以下に述べるような問題があった。
【０００５】
即ち、上記特許文献１における取付構造において、操作框等の取付溝３２に対して上記保持部材４０を取り付けるに際しては、溝壁４１の外端に突設しているつば４１ａを該取付溝３２内に押し込むために、該つば４１ａの突出方向先端を工具等で押圧して、該つば４１ａが設けられている保持部材４０の溝壁４１を他方の溝壁４２側に押圧した状態で、該保持部材４０自体を取付溝３２内に向けて押入する必要がある。つば４１ａに対するこのような２方向の押圧の作業は、特に、上記つば４１ａの突出方向先端の小面積部分を押圧すること自体が困難であるだけでなく、その押圧によりつば４１ａの先端を取付溝３２の一方の溝口縁３２ａの前記小溝３３の入口を超えるところまで強く溝壁４２側に押圧した状態で、上記保持部材４０自体を一気に取付溝３２内に向けて押入する必要があることから、必然的に押圧用工具５０を必要とする微妙な手作業に頼らざるを得ず、手慣れた作業者でなければ能率的に作業を行うことに困難性があった。
【先行技術文献】
【特許文献】
【０００６】
【特許文献１】特開２００５−４８４３７号公報
【発明の概要】
【発明が解決しようとする課題】
【０００７】
本発明の技術的課題は、網戸枠や網戸の操作框のように、ネット等のスクリーンの端部を固定的或いは摺動可能に取り付けるスクリーン枠に対して、該スクリーンを作業性よく容易に取り付け、また容易に取り外すことを可能にしたスクリーンの取付構造を提供することにある。
【課題を解決するための手段】
【０００８】
上記課題を解決するため、本発明によれば、スクリーン枠を構成する枠材の長手方向に向けて設けるスクリーンの取付溝を、その対向する溝口縁の一方に内向きの突出部を設けることにより、該取付溝内に収容するスクリーン取付用のレール材の抜け止め用係止部を形成したものとし、一方、上記スクリーンには、上記枠材への取付端に沿って係合部片を付設し、上記取付溝内に嵌入する溝形のスクリーン取付用のレール材内における対向溝壁間の隔壁に、上記スクリーンの係合部片に係合してその脱出を抑止するスリットを設け、上記枠材の取付溝内に押入した上記レール材における一方の溝壁の外端面を、上記取付溝の溝口縁に設けた係止部の内側に係止させて、上記スクリーンを上記取付用のレール材に固定的或いは摺動可能に取り付け可能にしたスクリーンの取付構造において、上記取付溝に設けた係止部の内側に係止させる上記レール材の外端面を、取付溝内へ上記レール材を押入するための押圧面とし、該押圧面を備えたレール材における口縁部分の外側面を、該レール材における一方の溝壁の外面から少なくとも４５°よりも小さい鋭角をなして次第に厚肉化する傾斜面に沿うものとしたうえで、上記外端面になだらかな曲面で連なるものとして形成し、枠材におけるスクリーンの取付溝の溝口縁に設けられた内向きの突出部により形成される上記レール材の抜け止め用係止部が、その一部を切除したものとして、該切除部分とレール材の溝壁との間に、該レール材の取出し工具の先端を挿入する挿入隙間を形成し、該工具の先端をレール材の傾斜面に係止させて該レール材を掻き出し可能に形成していることを特徴とするスクリーン枠に対するスクリーンの取付構造が提供される。
【００１０】
本発明に係る上記スクリーンの取付構造の好ましい実施形態としては、上記レール材における口縁部分の外側面を、該レール材における一方の溝壁の外面から３０°±５°の範囲の鋭角をなして次第に厚肉化する傾斜面に沿うものとすることが望まれる。
【００１１】
上述した本発明のスクリーンの取付構造においては、スクリーンの端部を枠材に取り付けるに際して、予め該スクリーンの端部に沿って取り付けている係合部片を、レール材の内部のスリットに係合させることにより、スクリーンの端部に上記レール材を取り付けた状態で、枠材のスクリーン取付溝に上記レール材を押入して、上記取付溝内の抜け止め用係止部にレール材の口縁の外端面を掛け止めして取り付けるが、特に、上記レール材の溝壁口部に該レール材の外面壁を鋭角的に次第に厚肉化させる傾斜面を形成しているので、以下に述べるように、前記特許文献１における既知の取付構造のような、スクリーン端保持部材に突設しているつばを枠材の取付溝内に押し込む作業の困難性は解消され、取付溝に対するレール材の先端の押入作業を非常に容易に行うことが可能になる。
【００１３】
また、上記本発明のスクリーンの取付構造によれば、上記レール材の対向溝壁の一方の外側面を、鋭角をなして次第に厚肉化する傾斜面に沿うものとしているので、該レール材の傾斜面が取付溝に入るところまでその溝壁を他方の溝壁側に僅かに押圧すれば、その後は、該溝壁の外端の押圧面を指先で１方向に押圧して、レール材を取付溝に押入すればよく、それにより該傾斜面が取付溝の抜け止め用係止部に押圧されて、該溝壁を他方の溝壁側に押し付けられながら取付溝内に押入され、レール材が抜け止め用係止部を超える位置まで押入されたときに、レール材自体の弾発力によりその外端面が抜け止め用係止部の内側に係止される。
【００１４】
本発明に係る上記スクリーンの取付構造においては、枠材におけるスクリーンの取付溝の溝口縁に設けられた内向きの突出部により形成されるレール材の抜け止め用係止部が、その一部を切除したものとして、該切除部分とレール材の溝壁との間に、該レール材の取出し工具の先端を挿入する挿入隙間を形成し、該工具の先端をレール材の傾斜面に係止させて該レール材を容易に掻き出し可能に形成するための構成を備えている。上記抜け止め用係止部の一部に設けた切欠部は、マイナスドライバー状の工具の先端を挿入して、その先端をレール材における上記溝壁の傾斜面に押し当て、レール材の一対の溝壁間を押し縮めながら該レール材を取付溝から起こし上げる場合に有効に活用されるものである。なお、レール材の一部が取付溝から脱出すれば、その部分を把持して取付溝からレール材を引き出すことにより、その後は上記工具によることなく、レール材を取付溝から容易に引き出すことができる。
【００１５】
本発明に係る上記スクリーンの取付構造の他の好ましい実施形態においては、上記レール材における上記口縁部分の外側面が、該レール材における一方の溝壁の外面から次第に厚肉化する傾斜面に沿うものであるが、該傾斜面の下端部に上記レール材の引出し工具先端を係止させる係止段部を形成しているものとして構成することができる。
【００１６】
また、本発明に係る上記スクリーンの取付構造の他の好ましい実施形態においては、上記レール材における上記口縁部分の外側面が、全体的には該レール材における一方の溝壁の外面から次第に厚肉化する傾斜面に沿うものであるが、該傾斜面自体に離散的に上記レール材の引出し工具先端を係止させる複数の係止用凹凸を形成しているものとして構成される。
【発明の効果】
【００１７】
以上に詳述した本発明の上記スクリーンの取付構造によれば、網戸枠や網戸の操作框のように、ネット等のスクリーンの端部を固定的或いは摺動可能に取り付けるスクリーン枠に対して、該スクリーンを作業性よく容易に取り付け、また容易に取り外すことを可能にしたスクリーンの取付構造を提供することができる。
【図面の簡単な説明】
【００１８】
【図１】本発明に係るスクリーンの取付構造の第１実施例の要部を分解して示す斜視図である。
【図２】上記第１実施例の組み付け完了状態を示す要部斜視図である。
【図３】上記第１実施例の組み付け準備状態を示す要部拡大横断面図である。
【図４】上記第１実施例の組み付け完了状態を示す要部拡大横断面図である。
【図５】上記第１実施例の取付構造におけるスクリーン取付用のレール材を取出し工具により枠材から取り外す態様を説明するための説明図である。
【図６】本発明に係るスクリーンの取付構造の第２実施例の組み付け準備状態を示す要部横断面図である。
【図７】上記第２実施例の組み付け完了状態を示す要部横断面図である。
【図８】本発明に係るスクリーンの取付構造の第３実施例の組み付け準備状態を示す要部横断面図である。
【図９】上記第３実施例の組み付け完了状態を示す要部横断面図である。
【図１０】既知のスクリーン装置におけるスクリーン枠へのスクリーンの取付構造を示すもので、（ａ）はスクリーン取付用のレール材を操作框に取り付ける準備状態を示す要部横断面図、（ｂ）は操作框に対する上記レール材の取付直前の状態を示す要部拡大横断面図、（ｃ）は上記レール部材の取付完了状態を示す要部拡大横断面図である。
【発明を実施するための形態】
【００１９】
図１〜図４は、本発明に基づいて各種スクリーンをスクリーン枠に対して取り付けるための取付構造の第１実施例を示している。このスクリーン６としては、網戸において用いる防虫網ばかりでなく、遮光、目隠し、断熱、装飾等の各種目的のために、少なくともその一端をスクリーン枠に対して取り付けるものを採択することができる。また、上記スクリーン６を取り付けるための枠材１としては、防虫網の周囲を固定的に保持する網戸枠や、ロールスクリーンの開閉用操作框及び開閉のための摺動レール部分など、上述の各種スクリーン６の周囲の全部或いは一部を固定的に、または該スクリーン６の周囲の一部を摺動可能に保持するものであってもよい。
【００２０】
上記スクリーン枠を構成する枠材１は、その長手方向に向けて設けられるスクリーン６の取付溝２を備え、図３及び図４に示すように、該取付溝２の口部において対向する溝口縁２ａの一方に、内向きに突出する突出部３を設けている。該突出部３の内側面は、図４に明瞭に示すように、該取付溝２内に収容する後述のスクリーン取付用のレール材１０の抜け止め用係止部を形成するものである。また、上記取付溝２の内部に設けた突子４は、取付溝２内に収容したレール材１０の姿勢を安定化させるものである。
【００２１】
一方、上記スクリーン６には、上記枠材１への取付端に沿って係合部片７を付設し、また、上記取付溝２内に嵌入させるところの、全体として溝形をなすスクリーン取付用のレール材１０には、その対向溝壁１１，１２間の隔壁１３に、上記スクリーン６の係合部片７を係合させてその脱出を抑止するスリット１４を設け、該スリット１４への上記係合部片７の係合により、上記レール材１０にスクリーン６を取り付けできるように構成している。上記係合部片７としては、被服類に多用されているファスナーの半体を利用し、その帯部７ａをスクリーン６の端部に溶着或いは縫着により取り付けるのが望ましい。上記スクリーン６の端部を枠材１に対して摺動可能に保持させる場合は、上記係合部片７を、上記隔壁１３に設けたスリット１４の内側に係合させた状態で摺動させることになる。
【００２２】
また、上記枠材１の取付溝２内に押入してそこに保持させる上記レール材１０は、対向溝壁１１，１２の一方（溝壁１１）の外端面１１ａを平坦な押圧面として、該押圧面の押圧によりレール材１０を上記取付溝２内の所定の位置まで嵌入させたときに、図４に示すように、上記外端面１１ａを、上記枠材１の取付溝２の溝口縁２ａに設けた突出部３の内側に係止させて、その位置にレール材１０を保持できるようにしている。
【００２３】
そして、上記レール材１０を枠材１の取付溝２内に容易に押入可能にするために、上記溝壁１１の外端面１１ａは平坦な押圧面としているが、特に、この押圧面を備えるために厚肉化したレール材１０における口縁部分の外側面１１ｂを、該レール材１０における溝壁１１の外面から少なくとも４５°よりも小さい角度θをなして次第に厚肉化する傾斜面としたうえで、上記外端面１１ａになだらかな曲面で連なるものとして形成している。
【００２４】
そのため、該レール材１０の傾斜面を利用して溝壁１１の口縁部分を取付溝２に押し入れるときには、上記溝壁１１の外端の押圧面を指先で押圧することにより、傾斜面である上記外側面１１ｂを、取付溝２の抜け止め用係止部を形成する突出部３からの押圧力に抗して、該突出部３の内側に押入することになる。つまり、レール材１０の溝壁１１が上記突出部３により他方の溝壁１２側に押し付けられながら、レール材１０が取付溝２内に押入されるので、作業者が上記溝壁１１を他方の溝壁１２側に押し付ける必要はない。
【００２５】
そして、該レール材１０の溝壁１１が突出部３を超える位置まで押入されたときに、該レール材１０自体が該突出部３で押圧されている間に内部に蓄積した弾発力により、その外端面１１ａが抜け止め用係止部の内側に押し込まれ、そこに係止される。なお、上記レール材１０は、上述するような弾発力を有する合成樹脂で成形されたものである。
【００２６】
上述のように、レール材１０における口縁部分の外側面１１ｂは、該レール材１０における溝壁１１の外面から少なくとも４５°よりも小さい鋭角の角度θをなして次第に厚肉化する傾斜面としているが、上記角度θをこのように設定すると、レール材１０の溝壁１１の外端面１１ａである押圧面を取付溝２内に向けて押圧する力が、傾斜面である上記外側面１１ｂを介して枠材１の突出部３に作用する分力と、上記傾斜面を突出部３に対して滑るようにして取付溝２内に押入れる分力とを有し、上記傾斜面が枠材１の突出部３に作用する前者の分力の反力として、該傾斜面を備える溝壁１１が他方の溝壁１２側に押圧される力を受けて弾性的に湾曲し、結果的には、レール材１０の溝壁１１の外端面１１ａである押圧面を取付溝２内に向けて押圧するだけで、溝壁１１を弾性的に湾曲させながらレール材１０を取付溝２内に圧入することができる。
【００２７】
この場合に、上記角度θを小さくするに従って、レール材１０の押入のために上記溝壁１１を押圧する力は軽減されるが、該角度θが小さくなることにより、レール材１０を取付溝２内へ押入する長さが長くなり、このレール材１０の長さは枠材１のレール材押入方向幅を大きくすることになるので、枠材の設計上、望ましくない。かかる問題をも考慮しながら、本発明者らが、上記レール材における口縁部分の外側面の傾斜面の角度θについて、図８及び図９によって後述する実施例の場合をも含めて考察した結果、上記傾斜面の角度θは、３０°±５°の範囲が適切であると判断されるに至っている。なお、図３、図６及び図８においてはθ＝３０°として好ましい角度の傾斜面を描いている。
【００２８】
図５は、上記第１実施例の取付構造におけるスクリーン取付用のレール材１０を、マイナスドライバー状の取出し工具２０により枠材１から取り外す態様を説明するためのものである。上記取出し工具２０により枠材１からレール材１０の取り外しを行うためには、図示しているように、予め上記取付溝２におけるレール材の抜け止め用の突出部３を部分的に切除して、上記工具２０の先端を挿入する挿入隙間３ａを形成しておき、該挿入隙間３ａを通して枠材１の内面とレール材１０の溝壁１１との間に上記工具２０の先端を押し込み、該工具２０の先端でレール材１０の溝壁１１の外側面１１ｂの傾斜面を掻き上げるようにして、該レール材１０を引き上げればよく、それにより該レール材１０の一部が取付溝２から脱出すれば、その部分を把持して取付溝２からレール材１０を引き出すことにより、その後は上記工具２０によることなく、取付溝２の突出部３に沿ってレール材１０を取付溝２から容易に引き出すことができる。なお、上記挿入隙間３ａは、本来の枠材１自体に形成しておく必要はなく、枠材１の端部に連結したキャップ状の延長枠材に設けることもできる。
【００２９】
図６及び図７は、本発明に係るスクリーンの取付構造の第２実施例を示している。この第２実施例は、上述した第１実施例における上記スクリーン取付用のレール材１０と同様に、溝壁１１の口縁部分の外側面１１ｂを、レール材１０における溝壁１１の外面から次第に厚肉化する傾斜面に沿うものとしているが、該傾斜面の下端部に、レール材１０の取り外しに際し、図５を参照して先に説明した引出し工具２０の先端を係止させるのに適した係止段部１１ｃを形成している点で、第１実施例のものとは相違している。そのため、第１実施例の場合と共通する構成及び作用については、図中に第１実施例と共通する符号を付してそれらの説明を省略する。
【００３０】
なお、この第２実施例においては、上記係止段部１１ｃを設けているため、図６の状態からレール材１０を取付溝２に押入するに際し、該係止段部１１ｃが枠材１の係止部３を超えるところまでレール材１０の溝壁１１を他方の溝壁１２側に押圧する必要があるが、レール材１０を取付溝２に押入する初期の段階であるため、該溝壁１１の押圧には大きな力を必要とせず、比較的容易に押圧することができる。しかも、上記係止段部１１ｃを設けることにより、レール材１０の取付溝２への押入方向の長さを比較的短くすることができ、枠材１のレール材押入方向幅を小さく設定したい場合には有利である。
【００３１】
また、図８及び図９は、本発明に係るスクリーンの取付構造の第３実施例を示すものであり、この第３実施例では、上記第１実施例のスクリーン取付用のレール材１０における溝壁１１の口縁部分の外側面１１ｂが、全体的には、該レール材１０における溝壁１１の外面から次第に厚肉化する傾斜面に沿うものであるが、該傾斜面に離散的に上記レール材１０の引出し工具２０の先端を係止させる複数の係止用凹凸１１ｄを形成し、図５を参照して先に説明した引出し工具２０の先端を多段に係止させるのに適したものであり、この点でのみ第１実施例のものとは相違している。そのため、第１実施例の場合と共通する構成及び作用については、図中に第１実施例と共通する符号を付してそれらの説明を省略する。
【００３２】
この第３実施例のレール材のように、レール材１０における溝壁１１の外側面の傾斜面に離散的に複数の係止用凹凸１１ｄを形成した場合であっても、それらの各係止用凹凸１１ｄがレール材の引き出しの障害になることはなく、引出し工具２０の先端を、レール材１０の溝壁１１の係止用凹凸１１ｄのいずれかに係止させ、それにより溝壁１１の外側面１１ｂを掻き上げるようにして該レール材１０を引き上げればよく、それによりレール材１０の一部が取付溝２から脱出すれば、その後は、第１実施例の場合と同様に、その部分を把持して取付溝２からレール材１０を引き出すことにより、取付溝２の突出部３に沿ってレール材１０を取付溝２から容易に引き出すことができる。
【符号の説明】
【００３３】
１      枠材
２      取付溝
２ａ    溝口縁
３      突出部
４      突子
６      スクリーン
７      係合部片
１０      レール材
１１，１２    溝壁
１１ａ    外端面
１１ｂ    外側面
１３      隔壁
１４      スリット
【図１】
0006521827.tif 000002
【図２】
0006521827.tif 000003
【図３】
0006521827.tif 000004
【図４】
0006521827.tif 000005
【図５】
0006521827.tif 000006
【図６】
0006521827.tif 000007
【図７】
0006521827.tif 000008
【図８】
0006521827.tif 000009
【図９】
0006521827.tif 000010
【図１０】
0006521827.tif 000011